(57)【要約】      （修正有）【課題】互いに積層可能となる構造を備えた扁平タイプのコイルを得る。【解決手段】電線１が巻回された平角線の扁平タイプからなる、電線１は、巻回の半周ごとに巻回の軸方向の反対側に折返されて巻回の軸方向と直交する方向の同一側に並列されている。これにより、巻回された電線の並列面に両半周部の間で段差が形成される。また、コイルの一部を積層して放射状に配置し、電線の巻回始端、巻回終端を内周側または外周側に位置させて接続する。【選択図】図１
2006340583.tif 000002
【特許請求の範囲】
【請求項１】
電線が巻回された扁平タイプのコイルにおいて、電線は巻回の半周ごとに巻回の軸方向の反対側に折返されて巻回の軸方向と直交する方向の同一側に並列されていることを特徴とするコイル。
【請求項２】
請求項１のコイルにおいて、電線は平角線からなることを特徴とするコイル。
【請求項３】
請求項１または２のコイルを一部を積層して放射状に配置し、電線の巻回始端，巻回終端を内周側または外周側に位置させて接続したことを特徴とするコイル部品。
【請求項４】
請求項３のコイル部品において、１つのコイルの電線の巻回始端は配置の一方側に隣接するコイルの電線の巻回始端に接続され、１つのコイルの電線の巻回終端は配置の他方側に隣接するコイルの電線の巻回終端に接続されていることを特徴とするコイル部品。
【発明の詳細な説明】
【技術分野】
【０００１】
本発明は、電線から巻回形成されて各種の電子機器，電磁機器等に組込まれるコイル，コイル部品に係る技術分野に属する。
【背景技術】
【０００２】
最近、電子機器，電磁機器等では、コイルへの通電の大電流化に伴って、コイルにおける電線の巻数が増加する傾向にある。コイルにおける電線の巻数の増加は、コイルの大型化をもたらし、コイルの電子機器，電磁機器等へのコンパクトな組込みを困難にする。このため、大型化することなく電線の巻数を増加させることのできるコイルの開発が切望されている。
【０００３】
従来、大型化することなく電線の巻数を増加させることを指向したコイルとしては、例えば、以下に記載のものが知られている。
【特許文献１】特開２００１−４５６８８号公報  特許文献１には、電線が巻回された巻束の一部を巻回の軸線方向に屈曲変形させてなるコイルが記載されている。
【０００４】
特許文献１に係るコイルは、電子機器，電磁機器等への組込みの際に屈曲変形部分を利用して互いに積層することで、大型化を取付スペースの削減で相殺するものである。
【発明の開示】
【発明が解決しようとする課題】
【０００５】
特許文献１に係るコイルでは、扁平タイプの場合に屈曲変形部分を設けることが困難であるという問題点がある。
【０００６】
本発明は、このような問題点を考慮してなされたもので、互いに積層可能となる構造を備えた扁平タイプのコイルと、このコイルを積層集合させたコイル部品とを提供することを課題とする。
【課題を解決するための手段】
【０００７】
前述の課題を解決するため、本発明に係るコイルは、特許請求の範囲の請求項１，２に記載の手段を採用する。
【０００８】
即ち、請求項１では、電線が巻回された扁平タイプのコイルにおいて、電線は巻回の半周ごとに巻回の軸方向の反対側に折返されて巻回の軸方向と直交する方向の同一側に並列されていることを特徴とする。
【０００９】
この手段では、巻回された電線の並列面に両半周部の間で段差が形成される。
【００１０】
また、請求項２では、請求項１のコイルにおいて、電線は平角線からなることを特徴とする。
【００１１】
この手段では、電線の材料として平角線が選択される。
【００１２】
前述の課題を解決するため、本発明に係るコイル部品は、特許請求の範囲の請求項３，４に記載の手段を採用する。
【００１３】
即ち、請求項３では、請求項１または２のコイルを一部を積層して放射状に配置し、電線の巻回始端，巻回終端を内周側または外周側に位置させて接続したことを特徴とする。
【００１４】
この手段では、放射状の配置のコイルが内周側または外周側で接続されたディスク形に形成される。
【００１５】
また、請求項４では、請求項３のコイル部品において、１つのコイルの電線の巻回始端は配置の一方側に隣接するコイルの電線の巻回始端に接続され、１つのコイルの電線の巻回終端は配置の他方側に隣接するコイルの電線の巻回終端に接続されていることを特徴とする。
【００１６】
この手段では、隣接するコイルが互いに逆巻となる。
【発明の効果】
【００１７】
本発明に係るコイルは、巻回された電線の並列面に両半周部の間で段差が形成されるため、互いに積層可能となる構造を備えた扁平タイプが得られる効果がある。
【００１８】
、また、請求項２として、電線の材料として平角線が選択されるため、電線を規則的に並列加工しやすくなる効果がある。
【００１９】
本発明に係るコイル部品は、放射状の配置のコイルが内周側または外周側で接続されたディスク形に形成されるため、フラットタイプの回転系の電磁誘導機のロータ，ステータ等としての利用に好適となる効果がある。
【００２０】
また、請求項４として、隣接するコイルが互いに逆巻となるため、フラットタイプの回転系の電磁誘導機のロータ，ステータ等としての利用にさらに好適となる効果がある。
【発明を実施するための最良の形態】
【００２１】
以下、本発明に係るコイルおよびコイル部品を実施するための最良の形態を図面に基づいて説明する。
【００２２】
この形態では、平角線からなる電線１を材料としたものを示してある。
【００２３】
この形態は、ほぼ６角形のコイルＡ（図１参照）を形成して、コイルＡを放射状に１０個直列に接続したものを３組積層したコイル部品Ｂ（図８，図９参照）を構成している。
【００２４】
この形態のコイルＡは、電線１を図４に示すように巻回することで製造される。即ち、図４（Ａ），（Ｂ）に示すように、電線１を曲げ加工しながら半周巻回する。続いて、図４（Ｃ）に示すように、電線１を巻回の軸方向の一方側（上側）に折返す。続いて、図４（Ｄ）に示すように、折返され反転された電線１を曲げ加工しながらさらに半周巻回する。続いて、図４（Ｅ）に示すように、電線１を巻回の軸方向の他方側（下側）に折返す。続いて、図４（Ｆ）に示すように、折返され反転された電線１を曲げ加工しながら先に巻回した電線１に対して巻回の軸方向と直交する方向の一方側（電線１の図面右側）に並列させて半周巻回する。続いて、図示されていないが、電線１を巻回の軸方向の一方側（上側）に折返し、電線１を曲げ加工しながら先に巻回した電線１に対して巻回の軸方向と直交する方向の一方側（電線１の図面右側）に並列させて半周巻回する。このような折返し，巻回が数回繰返される。そして、製造されたコイルＡの電線１の巻回始端１１，巻回終端１２は、共に６角形の１つの角部に位置される。
【００２５】
このコイルＡの製造では、平角線からなる電線１を材料としているため、電線１を規則的に並列加工しやすくなる。
【００２６】
製造されたコイルＡは、図２，図３に示すように、巻回された電線１の並列面に両半周部の間で段差Ｓが形成される。従って、図６，図７に示すように、段差Ｓを利用し巻回の軸線ＣをずらせてコイルＡを互いに積層することで、コイルＡの大型化を取付スペースの削減で相殺することができる。
【００２７】
また、製造されたコイルＡは、電線１の通常の渦巻形の巻回に比して、厚さが２倍になるものの径方向への大型化が避けられる。従って、取付スペース（特に取付平面）に制約がある場合に好適となる。なお、厚さが厚くなっている点については、前述の段差Ｓを利用した積層で解消が可能である。
【００２８】
また、製造されたコイルＡは、電線１の巻回始端１１，巻回終端１２が共に６角形の１つの角部に位置されているため、配線接続が容易である。
【００２９】
この形態のコイル部品Ｂは、前述のコイルＡを段差Ｓを利用して一部を積層して放射状に配置することで製造される。コイルＡの電線１の巻回始端１１，巻回終端１２は、放射状の配置の内周側に位置されている。そして、１つのコイルＡの電線１の巻回始端１１は、図９に示すように、配置の一方側に隣接するコイルＡの電線１の巻回始端１１に接続線２で接続されている。また、１つのコイルＡの電線１の巻回終端１２は、図９に示すように、配置の他方側に隣接するコイルＡの電線１の巻回終端１２に接続線３で接続されている。なお、コイルＡは、１０個が直列に接続されたもの（図９参照）が３組（図８参照）積層されている。従って、図８に示されるように、電線１の６本の巻回始端１１がリード線４として引出されている。
【００３０】
製造されたコイル部品Ｂは、ディスク形に形成されるとともに隣接するコイルＡが互いに逆巻となるため、フラットタイプの回転系の電磁誘導機のロータ等としての利用に好適となる。
【００３１】
なお、コイルＡ，コイル部品Ｂは、必要に応じて、自己融着，樹脂モールド，接着剤塗布とによって一体化される。
【００３２】
以上、図示した形態の外に、電線１として平角線以外のものを選択することも可能である。
【００３３】
さらに、フラットタイプの回転系の電磁誘導機以外の電子機器，電磁機器等に組込むことも可能である。
【００３４】
さらに、製造装置によっては、隣接するコイルＡの電線１を連続させ接続線２，３を省略することも可能である。
【００３５】
さらに、コイル部品ＢにおけるコイルＡの巻回始端１１，巻回終端１２を放射状の配置の外周側に位置させることもできる。この形態によると、ラットタイプの回転系の電磁誘導機のステータ等としての利用に好適となる。
【産業上の利用分野】
【００３６】
本発明に係るコイルおよぶコイル部品は、筒形の回転系の電磁誘導機その他の電子機器，電磁機器等で広範に利用が可能である。
【図面の簡単な説明】
【００３７】
【図１】本発明に係るコイルを実施するための最良の形態の正面図である。
【図２】図１の斜視図である。
【図３】図１のＸ−Ｘ線断面図である。
【図４】図１の製造例を示すものであり、（Ａ）〜（Ｆ）の順に製造工程が示されている。
【図５】図１の積層状態図である。
【図６】図５の積層の位置関係を示す斜視図である。
【図７】図５，図６の断面図であり、（Ａ）のコイルの積層前の状態が示され、（Ｂ）にコイルの積層後の状態が示されている。
【図８】本発明に係るコイル部品を実施するための最良の形態の正面図である。
【図９】図８の一部の抜出図である。
【符号の説明】
【００３８】
１            電線
１１          巻回始端
１２          巻回終端
２，３        接続線
Ａ            コイル
Ｂ            コイル部品
【図１】
2006340583.tif 000003
【図２】
2006340583.tif 000004
【図３】
2006340583.tif 000005
【図４】
2006340583.tif 000006
【図５】
2006340583.tif 000007
【図６】
2006340583.tif 000008
【図７】
2006340583.tif 000009
【図８】
2006340583.tif 000010
【図９】
2006340583.tif 000011